(57)【特許請求の範囲】
【請求項１】
物品を収納する容器本体と、該容器本体の開口を覆う蓋体と、前記容器本体と前記蓋体とを連結するヒンジ部材とから成り、前記蓋体を前記ヒンジ部材のピンを介して開閉自在とした物品収納容器において、前記容器本体に前記ヒンジ部材の下端部を前記ピンにより回転可能に取り付けると共に前記下端部は前記ヒンジ部材の前記容器本体に対し９０度以上の回転を規制し、前記蓋体から前記蓋体の面方向に突出した軸部を前記ヒンジ部材の他端部に取り付け、前記ヒンジ部材の前記容器本体に対する９０度以内の回転時において前記軸部を中心とする前記蓋体の表裏の反転を可能とし、前記蓋体は前記容器本体上で内側を下に向けて前記容器本体の開口を閉止する機能を有すると共に、前記蓋体を反転させて前記蓋体の内側を上に向けて前記容器本体の開口上に重ね合わせる機能を有することを特徴とする物品収納容器。
【請求項２】
前記容器本体の外周面に突設した両支持部に前記ヒンジ部材の両側壁を前記ピンにより軸支し、前記ヒンジ部材が前記容器本体に対して９０度開くと前記下端部が前記容器本体の外周面に当接しそれ以上の回転を規制することを特徴とする請求項１に記載の物品収納容器。
【請求項３】
前記ヒンジ部材の内壁に設けた溝部に前記蓋体の軸部を圧入したことを特徴とする請求項１又は２に記載の物品収納容器。
【請求項４】
前記軸部の先端に設けたフランジ部を前記ヒンジ部材の内壁の内面側に位置させたことを特徴とする請求項１又は２又は３に記載の物品収納容器。
【発明の詳細な説明】
【０００１】
【発明の属する技術分野】
本発明は、例えば石鹸などの物品を収納する物品収納容器に関するものである。
【０００２】
【従来の技術】
一般に、１個の石鹸を収納する石鹸箱は、上部に開口を有して石鹸を収納する盆状の容器本体と、この容器本体とは別体で容器本体の上部に冠着する盆状の蓋体とから成っている。そして、石鹸を使用する際には、蓋体を容器本体から外し、容器本体の近傍に放置するか、容器本体の下側に重ね合わせている。
【０００３】
【発明が解決しようとする課題】
しかしながら、従来の石鹸箱は容器本体と蓋体が別体になっているので、蓋体を容器本体から外す際に落とすことがある。また、蓋体を容器本体の近傍に放置した場合には、余計な場所を必要とする上に容器本体の周囲を乱雑にすることもあり、或いは紛失することもある。
【０００４】
本発明の目的は、上述の問題点を解消し、蓋体を容器本体から分離することなく反転して容器本体に重ね合わせ、その蓋体上に物品を載置し得る物品収納容器を提供することにある。
【０００５】
【課題を解決するための手段】
上記目的を達成するための本発明に係る物品収納容器は、物品を収納する容器本体と、該容器本体の開口を覆う蓋体と、前記容器本体と前記蓋体とを連結するヒンジ部材とから成り、前記蓋体を前記ヒンジ部材のピンを介して開閉自在とした物品収納容器において、前記容器本体に前記ヒンジ部材の下端部を前記ピンにより回転可能に取り付けると共に前記下端部は前記ヒンジ部材の前記容器本体に対し９０度以上の回転を規制し、前記蓋体から前記蓋体の面方向に突出した軸部を前記ヒンジ部材の他端部に取り付け、前記ヒンジ部材の前記容器本体に対する９０度以内の回転時において前記軸部を中心とする前記蓋体の表裏の反転を可能とし、前記蓋体は前記容器本体上で内側を下に向けて前記容器本体の開口を閉止する機能を有すると共に、前記蓋体を反転させて前記蓋体の内側を上に向けて前記容器本体の開口上に重ね合わせる機能を有することを特徴とする。
【０００６】
【発明の実施の形態】
本発明を図示の実施の形態に基づいて詳細に説明する。
図１は実施の形態の外観斜視図、図２は縦断面図、図３はヒンジ部Ａの拡大図、図４は錠止部Ｂの拡大図であり、この実施の形態に係る物品収納容器は、例えば１個の石鹸Ｓを収納し得るほぼ楕円形の石鹸箱とされている。この石鹸箱では、容器本体１に蓋体２がヒンジ部材３とピン４を介して開閉自在に連結されている。容器本体１、蓋体２及びヒンジ部材３は、例えば透明な合成樹脂材料からそれぞれ成形され、その後に組み立てられている。
【０００７】
容器本体１と蓋体２は、相互に合わさって石鹸Ｓの略半部をそれぞれ収納するようにされている。ヒンジ部Ａにおいて、ヒンジ部材３は容器本体１の中心線の方向に開閉自在とされ、更に蓋体２はヒンジ部材３に一体の軸部５とその先端のフランジ部６を介して回転自在に連結されている。そして、錠止部Ｂおいて、蓋体２の下端には外方に若干膨出する可撓片７が下方に向けて設けられ、この可撓片７の内面には錠止突起８が内方に向けて形成されている。
【０００８】
容器本体１の外周面の一部には、ヒンジ部材３を支持するための一対の支持片１１、１２が、外方に向けて突設されている。また、錠止部Ｂにおいて、容器本体１の外周面には蓋体２の可撓片７が進入する凹部１３が形成され、この凹部１３の奥壁には蓋体２の錠止突起８と錠止する錠止突起１４が外方に向けて形成されている。
【０００９】
ヒンジ部材３は、容器本体１の支持片１１、１２にピン４を介して支持される側壁２１、２２と、これらの側壁２１、２２の上端縁同士を連結する天壁２３と、側壁２１、２２の外端縁同士を連結する外壁２４と、側壁２１、２２の内端縁同士を連結する内壁２５とから構成されている。側壁２１、２２の外面は例えば段付とされ、側壁２１、２２の上部の外面と支持片１１、１２の外面とで略同一平面が形成され、側壁２１、２２の下部の外面は支持片１１、１２の内面に摺接されている。
【００１０】
ヒンジ部材３内壁２５の上下方向の長さは、側壁２１、２２の上下方向の長さの略半分とされ、内壁２５と容器本体１との干渉が防止されている。内壁２５の下部には、下方を開口として蓋体２の軸部５を受け入れる溝部２６が形成されている。溝部２６の左右方向の幅は蓋体２の軸部５の外径よりも稍々小さくされ、フランジ部６を先端に有する軸部５が溝部２６に圧入されている。従って、軸部５の溝部２６への圧入によって軸部５の下方への脱落が防止され、軸部５の先端のフランジ部６によって軸部５の軸線方向への離脱が防止されている。
【００１１】
そして、蓋体２の外面とフランジ部６の内面との間隔はヒンジ部材３の内壁２５の厚さとほぼ等しくされ、蓋体２とヒンジ部材３の間のがたつきが防止されている。また、ヒンジ部材３の下端部３ａは、ヒンジ部材３が約９０度開いた際に容器本体１の外周面に当接され、ヒンジ部材３の約９０度以上の回転が規制されている。
【００１２】
この石鹸箱を組み立てる際には、容器本体１の支持片１１、１２の内側にヒンジ部材３の側壁２１、２２を配置し、容器本体１の支持片１１、１２とヒンジ部材３の側壁２１、２２にそれぞれ形成した図示しない孔部にピン４を挿通する。そして、ヒンジ部材３の溝部２６に下方から蓋体２の軸部５を押し込む。これにより図５に示すように、蓋体２は矢印Ｃ方向に開閉自在、かつ矢印Ｄ方向に回転自在に容器本体１と一体になる。
【００１３】
既に収納してある石鹸Ｓを使用する際には、蓋体２の可撓片７を外方へ撓ませ、蓋体２の錠止突起８と容器本体１の錠止突起１４との錠止を解除し、図６に示すように蓋体２を開く。このとき、ヒンジ部材３は蓋体２に従動してピン４を中心に回転し、図７に示すようにヒンジ部材３の回転はその下端部３ａが容器本体１の外周面に当接した時点で停止する。
【００１４】
ここで、石鹸Ｓを使用し易くするためには、石鹸Ｓを容器本体１から取り出し、蓋体２を軸部５の軸線を中心に１８０度回転し、この反転した蓋体２を容器本体１に重ね合わせる。そして、図８、図９に示すように反転した蓋体２の内部に石鹸Ｓを収納する。
【００１５】
この実施の形態では、容器本体１にヒンジ部材３をピン４を介して開閉自在に設け、ヒンジ部材３に蓋体２を軸部５を介して回転自在に連結したので、蓋体２を容器本体１から分離することはない。また、蓋体２を軸部５の軸線を中心に反転することができるので、反転した蓋体２を容器本体１の上に重ね合わせ、その蓋体２の上に石鹸Ｓを載置することができる。
【００１６】
なお、上述の実施の形態では物品収納容器を石鹸箱として説明したが、物品収納容器は容器本体１に宝石やキャンディ等の物品を収納し、この物品を反転した蓋体２の上に載置するために使用することもできる。
【００１７】
また、ヒンジ部材３は容器本体１に別体のピン４を介して支持したが、このピン４をヒンジ部材３に一体化することもできる。即ち、ヒンジ部材３の側壁２１、２２にピン部を一体にそれぞれ設け、これらのピン部を支持片１１、１２の孔部にそれぞれ嵌合するように構成することもできる。
【００１８】
【発明の効果】
以上説明したように本発明に係る物品収納容器は、容器本体にヒンジ部材を開閉自在に設け、このヒンジ部材に蓋体を軸部を介して反転自在に連結したので、蓋体を容器本体から分離することなく反転して容器本体の上に重ね合わせることができ、蓋体上に物品を載置することができる。
【図面の簡単な説明】
【図１】実施の形態の外観斜視図である。
【図２】縦断面図である。
【図３】ヒンジ部の拡大図である。
【図４】錠止部の拡大図である。
【図５】蓋体を開いた状態の斜視図である。
【図６】使用状態の断面図である。
【図７】ヒンジ部材の作用説明図である。
【図８】他の使用状態の断面図である。
【図９】他の使用状態の斜視図である。
【符号の説明】
１  容器本体
２  蓋体
３  ヒンジ部材
４  ピン
５  軸部
６  フランジ部
１１、１２  支持片
２１、２２  側壁
２３  天壁
２４  外壁
２５  内壁
２６  溝部
Ａ  ヒンジ部
Ｂ  錠止部
【図１】
0004837178.tif 000002
【図２】
0004837178.tif 000003
【図３】
0004837178.tif 000004
【図４】
0004837178.tif 000005
【図５】
0004837178.tif 000006
【図６】
0004837178.tif 000007
【図７】
0004837178.tif 000008
【図８】
0004837178.tif 000009
【図９】
0004837178.tif 000010